(57)【要約】【課題】屋外の明るさを容易に判定することができる照明制御システムを提供することである。【解決手段】実施形態に係る照明システム１は、太陽光を利用して発電する太陽光発電システム２と、太陽光発電システム２が発電した発電量の情報から対応する屋外の明るさを判定する制御部３とを備える。【選択図】図１
2014186962.tif 000002
【特許請求の範囲】
【請求項１】
太陽光を利用して発電する太陽光発電システムと；
前記太陽光発電システムが発電した発電量の情報から対応する屋外の明るさを判定する制御部と；
を有することを特徴とする照明システム。
【請求項２】
調光可能な照明器具をさらに有し；
前記制御部は、判定した前記屋外の明るさに基づいて、前記照明器具の調光を制御することを特徴とする請求項１に記載の照明システム。
【請求項３】
前記制御部は、判定した前記屋外の明るさに基づいて、前記照明器具の調光を前記屋外の明るさと同等になるように制御することを特徴とする請求項２に記載の照明システム。
【請求項４】
前記太陽光発電システムが発電した発電量の情報と、対応する前記屋外の明るさとが対応付けられたテーブルをさらに有することを特徴とする請求項１から３のいずれか１つに記載の照明システム。
【請求項５】
前記制御部は、前記テーブルを参照することで、前記発電量の情報から対応する前記屋外の明るさを判定することを特徴とする請求項４に記載の照明システム。
【発明の詳細な説明】
【技術分野】
【０００１】
本発明の実施形態は、照明システムに関する。
【背景技術】
【０００２】
近年、太陽光発電システムと連動して、住宅内の電気機器のエネルギーを一括管理するシステムが用いられるようになっている。この太陽光発電システムは、複数の太陽電池パネルにより形成された太陽光モジュールにおいて、太陽光を利用して電力を発電する。太陽光モジュールにより発電された電力は、テレビジョン装置、エアコン、照明器具等の電気機器に供給される。また、太陽光モジュールにより発電された電力は、家庭用の蓄電池に一時的に蓄電され、夜間等に使用される。
【０００３】
このように、従来では、太陽光発電システムは、電力の発電と、電力マネジメントに活用されるのみである。また、太陽光発電システムで発電された電力が供給される照明器具は、オン／オフ及び単純な調光操作がされるのみであり、太陽光発電システムが発電した発電量等に応じた制御は行われていなかった。
【０００４】
ところで、屋外と屋内では光環境が異なる、すなわち、屋内の明るさと屋外の明るさが異なるため、屋外と屋内とでは色の見え方が異なることがある。屋外での色の見え方を確認するために、屋内の照明器具を屋外環境と同じ明るさで照明しようとした場合、屋外の明るさを検出する必要がある。そして、検出した屋外の明るさを再現するように、屋内の照明器具を制御しなければならない。
【０００５】
しかしながら、従来では、屋外の明るさを検出するためには、例えば、住宅の窓際に照度センサ等を設置し、屋外の明るさを判定する必要があり、屋外の明るさを容易に判定することができなかった。
【先行技術文献】
【非特許文献】
【０００６】
【非特許文献１】ホームＩＴシステム：http://feminity.toshiba.co.jp/feminity/
【発明の概要】
【発明が解決しようとする課題】
【０００７】
そこで、本実施形態は、屋外の明るさを容易に判定することができる照明システムを提供することを目的とする。
【課題を解決するための手段】
【０００８】
実施形態に係る照明システムは、太陽光を利用して発電する太陽光発電システムと；前記太陽光発電システムが発電した発電量の情報から対応する屋外の明るさを判定する制御部と；を有する。
【発明の効果】
【０００９】
本実施形態によれば、屋外の明るさを容易に判定することができる。
【図面の簡単な説明】
【００１０】
【図１】本実施の形態に係る照明システムの構成を示す図である。
【図２】テーブル４の例を説明するための図である。
【図３】発電量と屋外の明るさとの関係を説明するための図である。
【発明を実施するための形態】
【００１１】
実施形態に係る照明システムは、太陽光を利用して発電する太陽光発電システムと；前記太陽光発電システムが発電した発電量の情報から対応する屋外の明るさを判定する制御部と；を有する。
【００１２】
このような構成によれば、太陽光発電システムの発電量の情報を屋外の明るさの判定に利用することができ、屋外の明るさを検出するための照度センサ等を窓際に設ける必要がなくなる。
【００１３】
また、実施形態に係る照明システムは、調光可能な照明器具をさらに有し；前記制御部は、判定した前記屋外の明るさに基づいて、前記照明器具の調光を制御する。
【００１４】
また、前記制御部は、判定した前記屋外の明るさに基づいて、前記照明器具の調光を前記屋外の明るさと同等になるように制御する。
【００１５】
このような構成によれば、室内において、リアルタイムに近い屋外の光環境を体感することができる。これにより、利用者は、外出時の屋外環境における色の見え方を確認しながら、洋服の選択や化粧等を行うことができる。
【００１６】
また、実施形態に係る照明システムは、前記太陽光発電システムが発電した発電量の情報と、対応する前記屋外の明るさとが対応付けられたテーブルをさらに有する。
【００１７】
また、前記制御部は、前記テーブルを参照することで、前記発電量の情報から対応する前記屋外の明るさを判定する。
【００１８】
実施形態において、発電量の情報と、対応する屋外の明るさとが対応付けられたテーブルは１つに限定されるものではなく、季節毎に変更される複数のテーブルを有していてもよい。制御部が複数のテーブルから季節毎に最適なテーブルを選択することで、屋外の明るさをより正確に判定することができる。
【００１９】
以下、図面を参照して本発明の実施の形態について詳細に説明する。
【００２０】
まず、図１に基づき、本発明の実施の形態に係る照明システムの構成について説明する。
【００２１】
図１は、本実施の形態に係る照明システムの構成を示す図である。
【００２２】
図１に示すように、照明システム１は、太陽光発電システム２と、制御部３と、テーブル４と、照明器具５とを有して構成されている。また、住宅９内には、テレビジョン装置６、エアコン７、姿見８が設置されている。
【００２３】
太陽光発電システム２は、太陽光モジュール１１と、電力変換部１２と、分配器１３と、発電量算出部１４と、発電量送信部１５とを有して構成されている。
【００２４】
太陽光モジュール１１は、複数の太陽電池パネルにより形成されており、例えば、住宅９の屋根等に設置される。太陽光モジュール１１は、自然エネルギーである太陽光を利用して直流電力を発電し、電力変換部１２及び発電量算出部１４に出力する。
【００２５】
電力変換部１２は、太陽光モジュール１１が発電した直流電力を交流電力に変換し、分配器１３に出力する。分配器１３は、電力変換部１２からの交流電力を照明器具５、テレビジョン装置６、エアコン７等の電気機器に分配し、電力を供給する。
【００２６】
発電量算出部１４は、太陽光モジュール１１により発電された直流電力から単位時間あたりの発電量を算出し、算出した発電量の情報（以下、発電量情報という）を発電量送信部１５に出力する。発電量送信部１５は、発電量算出部１４から入力された発電量情報を制御部３に送信する。
【００２７】
制御部３は、発電量送信部１５から送信された発電量情報に基づいて、テーブル４を参照し、屋外の明るさを判定する。
【００２８】
ここで、制御部３が参照するテーブル４について、図２及び図３を用いて説明する。図２は、テーブル４の例を説明するための図であり、図３は、発電量と屋外の明るさとの関係を説明するための図である。
【００２９】
図３に示すように、一般的に、発電量と屋外の明るさとは比例関係にあり、発電量が大きくなると、屋外の明るさも明るくなる。発電量と屋外の明るさとの関係を示す特性は、太陽光発電システム２により発電されているある時点での発電量と、そのときの屋外の明るさを例えば照度センサ等により検出することで求められる。このような検出を発電量が異なる複数の点で行うことにより、図３に示す特性を得ることができる。
【００３０】
テーブル４には、図３に示す特性から得られる発電量情報と屋外の明るさとが対応付けられている。図２に示すように、発電量情報が「○○Ｗ（ワット）」の場合、対応する屋外の明るさとして「△△ルクス」が対応付けられ、発電量情報が「××Ｗ」の場合、対応する屋外の明るさとして「□□ルクス」が対応付けられている。
【００３１】
なお、テーブル４は、１つに限定されることなく、複数有していていもよい。太陽光発電システム２の発電量が同じ場合でも、季節等によって屋外の明るさが変わることがある。そこで、照明システム１は、季節等に応じて変更された複数のテーブルを備え、制御部３が季節等に応じて変更された複数のテーブルから最適なテーブルを選択するようにしてもよい。
【００３２】
制御部３は、このようなテーブル４を参照することで、太陽光発電システム２からの発電量情報から屋外の明るさを判定する。すなわち、制御部３は、発電量送信部１５から発電量情報が入力されると、入力された発電量情報に対応する屋外の明るさをテーブル４から読み出し、屋外の明るさを判定する。そして、制御部３は、室内の照明器具５の明るさが屋外の明るさと同等になるように、照明器具５に制御信号を出力する。
【００３３】
照明器具５は、例えば、赤、緑、青の３色のＬＥＤにより構成された照明器具である。照明器具５は、制御部３から出力された制御信号に基づいて、３色のＬＥＤの調光率を変化することにより、明るさや色温度を調節し、屋外と同等の明るさで点灯する。なお、照明器具５は、３色のＬＥＤに限定されるものではなく、制御部３からの制御信号に応じて明るさや色温度を調整することができる照明器具であればよい。
【００３４】
このように、太陽光発電システム２では、太陽光モジュール１１において、太陽光を利用して発電し、発電量算出部１４が太陽光モジュール１１で発電された単位時間あたりの発電量を算出する。そして、太陽光発電システム２では、発電量算出部１４が算出した発電量情報を発電量送信部１５から制御部３に送信する。
【００３５】
制御部３では、発電量送信部１５から発電量情報が送信されると、発電量情報と屋外の明るさとが対応付けられているテーブル４を参照し、送信された発電量情報に対応する屋外の明るさが判定される。そして、制御部３では、判定された屋外の明るさと同等になるように照明器具５に制御信号が送信される。
【００３６】
利用者は、照明器具５の近辺、例えば照明器具５の下側の所定の位置に姿見８を設置する。照明器具５は、制御部３から送信された制御信号に基づいて、屋外の明るさと同等の明るさや色温度で点灯している。そのため、利用者は、照明器具５の下で、外出時の屋外環境における色の見え方を姿見８により確認しながら洋服を選ぶことができる。
【００３７】
なお、制御部３により明るさを制御される照明器具５は、１つに限定されるものではない。制御部３は、屋内に設置されている照明器具の全てを制御してもよいし、屋内に設置されている照明器具の一部（特定の場所に設置されている照明器具）を制御するようにしてもよい。
【００３８】
例えば、制御部３が洗面台に設置されている照明器具に上述した制御、すなわち、発電量情報に基づいて、屋外の明るさと同等の明るさになるように照明器具の明るさの制御を行えば、利用者は、外出時の屋外環境における色の見え方を確認しながら化粧をすることができる。
【００３９】
以上のように、照明システム１は、太陽光発電システム２からの発電量情報に基づき、制御部３がテーブル４を参照し、屋外の明るさを判定するようにしている。従来であれば、屋外の明るさを判定するためには、窓際に照度センサ等を設ける必要があった。これに対して、本実施の形態の照明システム１は、太陽光発電システム２からの発電量情報を利用して屋外の明るさを判定するため、屋外の明るさを判定するための照度センサ等を設ける必要がなくなる。
【００４０】
よって、本実施の形態の照明システムによれば、屋外の明るさを容易に判定することができる。
【００４１】
また、照明システム１は、制御部３が判定した屋外の明るさと同等となるように照明器具５の明るさを制御するようにしている。そのため、利用者は、室内において、リアルタイムに近い屋外の光環境を体感でき、屋外環境での色の見え方を確認しながら、洋服を選んだり、化粧をすることができる。
【００４２】
なお、本実施の形態では、制御部３は、太陽光発電システム２からの発電量情報に基づいて、屋外の明るさと同等となるように照明器具５の明るさを制御しているが、このような制御に限定されるものではない。例えば、制御部３は、発電量情報から屋外の明るさが所定の明るさ以上と判定した場合、照明器具５の明るさを下げる（室内を暗くする）ように制御してもよい。また、制御部３は、発電量情報から屋外の明るさが所定の明るさより低いと判定した場合、照明器具５の明るさを上げる（室内を明るくする）ように制御してもよい。
【００４３】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００４４】
１…照明システム、２…太陽光発電システム、３…制御部、４…テーブル、５…照明器具、６…テレビジョン装置、７…エアコン、８…姿見、９…住宅、１１…太陽光モジュール、１２…電力変換部、１３…分配器、１４…発電量算出部、１５…発電量送信部。
【図１】
2014186962.tif 000003
【図２】
2014186962.tif 000004
【図３】
2014186962.tif 000005